(57)【要約】【課題】互いに異なるカラー成分を読み取る複数の読取素子を備え、これらの読取素子からの画像信号に基づいて単色画像を取得する画像読取装置において、異なる読取素子の画像信号に基づく単色画像間での画像濃度の差を小さくする。【解決手段】光遮断フィルタ（補正フィルタ）により、一の読取素子では読み取れて、他の読取素子では読み取れない波長の光を遮断する。【選択図】図８
2009021655.tif 000002
【特許請求の範囲】
【請求項１】
画像の第一カラー成分を読み取って第一画像信号を出力する第一読取素子と、
上記第一カラー成分とは異なる第二カラー成分を読み取って第二画像信号を出力する第二読取素子と、
上記第一読取素子に入る光のうち、第一読取素子が読み取って第二読取素子が読み取らない波長を遮断可能なフィルタと、
上記第一画像信号及び上記第二画像信号のそれぞれから単色の画像を生成可能な画像処理部と、
を備える画像読取装置。
【請求項２】
原稿の両面を読取可能な画像読取装置であって、
上記原稿の一の面の第一カラー成分を読み取って第一画像信号を出力する第一読取素子と、
上記原稿の他の面の上記第一カラー成分とは異なる第二カラー成分を読み取って第二画像信号を出力する第二読取素子と、
上記第一読取素子に入る光のうち、第一読取素子が読み取って第二読取素子が読み取らない波長を遮断可能なフィルタと、
上記第一画像信号及び上記第二画像信号のそれぞれから単色の画像を取得可能な画像処理部と、
を備える画像読取装置。
【請求項３】
上記第一読取素子はモノクロ素子であり、
上記第二読取素子は、赤、緑、青のいずれかの成分を検出するようになっているカラーセンサである、請求項１又は２に記載の画像読取装置。
【請求項４】
上記第二読取素子は緑色成分を検出するようになっており、
上記フィルタは波長５７０ｎｍ以上の光を遮断するようになっている請求項１〜３のいずれか１項に記載の画像読取装置。
【請求項５】
上記第二読取素子は緑色成分を検出するようになっており、
上記フィルタは波長５００ｎｍ未満の光を遮断するようになっている請求項１〜４のいずれか１項に記載の画像読取装置。
【請求項６】
請求項１〜５のいずれか１項に記載の画像読取装置と、
上記画像読取装置の読み取った画像を記録媒体上に形成する画像形成部と、を備える画像形成装置。
【発明の詳細な説明】
【技術分野】
【０００１】
本発明は画像を読み取る画像読取装置に関するものであり、具体的には、互いに異なるカラー成分を読取可能な読取素子を備える画像読取装置に関する。
【背景技術】
【０００２】
従来、原稿から画像を読み取る画像読取装置において、ユーザが原稿を反転させなくても、原稿の両面を読み取り可能な画像読取装置が提案されている。
【０００３】
例えば特許文献１には、原稿を搬送する搬送パスの表裏両面側に、一方の面に光を照射する蛍光灯と、この蛍光灯の光の原稿からの反射光を読み取るＣＣＤ（Charge Coupled Device）とを備えるスキャナ装置、及び、他方の面に光を照射する白色ＬＥＤと、このＬＥＤの光の原稿からの反射光を読み取るラインセンサとを備えるＣＩＳ（Contact Image Sensor）を設けることが記載されている（特許文献１の図１等）。
【０００４】
また、特許文献１には、白色ＬＥＤと蛍光灯ではその発光スペクトル（発光波長と発光強度との関係）が異なるため、原稿の両面のカラー画像を白黒画像として読み取る際に、この発光スペクトルの違いにより、表面と裏面とで得られる画像濃度が異なる場合があることが記載されている。そして、読取データにおけるこのような画像濃度の差を低減するために、特許文献１では、フィルタ特性＝｛（Ｘｅランプ発光特性×結像用レンズ特性×ＣＣＤイメージセンサ感度特性）／（白色ＬＥＤ発光特性×イメージセンサ感度特性）｝である補正フィルタが、ＣＩＳの光源であるＬＥＤから照射された光がラインセンサに到達するまでに補正フィルタを二度通過するように設けられている（特許文献１の図２等）。
【特許文献１】特開２００５−２１０４５０号公報（２００５年８月４日公開）
【発明の開示】
【発明が解決しようとする課題】
【０００５】
現在、カラー画像を読み取るためには、画像読取装置に、Ｒ（赤）、Ｇ（緑）、Ｂ（青）の３つのカラー成分をそれぞれ検出する検出素子（センサ）が設けられる。そして、モノクロデータの読み込み速度を上げるために、さらにＫ（黒）用の読取素子（Ｋ素子）が設けられることがある。
【０００６】
例えば、ＣＣＤにＫ素子が搭載されてＣＩＳにＫ素子が搭載されていない場合、両面からモノクロ画像を得るときに、ＣＣＤは片面の画像をＫ素子で読み取るのに対して、ＣＩＳはＫ以外のカラー素子で読み取りを行う。つまり、片面のモノクロ画像と他面のモノクロ画像とは、互いに異なるカラー成分を検知するセンサから出力される画像信号から生成される。すると、特許文献１の画像読取装置のように、補正フィルタによってＣＩＳのラインセンサに入る光のスペクトルがＣＣＤに入る光のスペクトルに近づけられていたとしても、センサの検知特性の違いにより片面と他面とで、画像の濃度が一致しないという問題が起き得る。
【０００７】
本発明は、上記従来の課題に鑑み、一のカラー成分を検出する読取素子からの画像信号に基づいて生成される単色画像と、他のカラー成分を検出する読取素子からの画像信号に基づいて生成される単色画像とで、濃度のずれがより小さく抑えられる画像読取装置及びこの画像読取装置を備える画像形成装置を提供することにある。
【課題を解決するための手段】
【０００８】
上記課題を解決するために、請求項１の画像読取装置は、画像の第一カラー成分を読み取って第一画像信号を出力する第一読取素子と、上記第一カラー成分とは異なる第二カラー成分を読み取って第二画像信号を出力する第二読取素子と、上記第一読取素子に入る光のうち、第一読取素子が読み取って第二読取素子が読み取らない波長を遮断可能なフィルタと、上記第一画像信号及び上記第二画像信号のそれぞれから単色の画像を生成可能な画像処理部と、を備える。
【０００９】
上記構成により、同一の画像に対する第一画像信号と第二画像信号との間のずれが小さく抑えられる。よって、第一画像信号から得られる単色画像と第二画像信号から得られる単色画像との間の濃度のずれが小さく抑えられる。
【００１０】
また、同様に、請求項２に記載するように、原稿の両面を読取可能な画像読取装置であって、上記原稿の一の面の第一カラー成分を読み取って第一画像信号を出力する第一読取素子と、上記原稿の他の面の上記第一カラー成分とは異なる第二カラー成分を読み取って第二画像信号を出力する第二読取素子と、上記第一読取素子に入る光のうち、第一読取素子が読み取って第二読取素子が読み取らない波長を遮断可能なフィルタと、上記第一画像信号及び上記第二画像信号のそれぞれから単色の画像を取得可能な画像処理部と、を備える画像読取装置によっても、本発明の目的は達成され得る。
【００１１】
また、請求項３に記載するように、請求項１又は２に記載の画像読取装置において、上記第一読取素子はモノクロ素子であり、上記第二読取素子は、赤、緑、青のいずれかの成分を検出するようになっているカラーセンサであってもよい。
【００１２】
また、請求項１〜３のいずれか１項の画像読取装置は、記請求項４に記載するように。上記第二読取素子は緑色成分を検出するようになっており、上記フィルタは波長５７０ｎｍ以上の光を遮断する構成となっていることが好ましい。
【００１３】
緑色成分を検出する読取素子は、モノクロ素子と検出特性が近いことが多い。そのため、上記構成によると、フィルタの光遮断特性を単純にしても、画像濃度のずれを小さくするという効果が十分に実現される。また、緑色成分を検出する読取素子とモノクロ素子とでは、特に波長５７０ｎｍ以上の光に対する感度が異なるので、フィルタを上記構成の通りとすることで、単色画像間のずれを小さく抑えるという効果がより一層高められる。
【００１４】
また、請求項５に記載するように、請求項１〜４のいずれか１項に記載の画像読取装置において、上記第二読取素子は緑色成分を検出するようになっており、上記フィルタは５００ｎｍ未満の光を遮断するようになっていることが好ましい。
【００１５】
緑色成分を検出する読取素子とモノクロ素子とでは、波長５００ｎｍ未満の範囲の光に対する感度も同様に異なるので、フィルタを上記構成の通りとすることで、単色画像間のずれを小さく抑えるという効果がより一層高められる。
【００１６】
請求項６に記載するように、請求項１〜５のいずれか１項に記載の画像読取装置は、上記画像読取装置の読み取った画像を記録媒体上に形成する画像形成部を備える画像形成装置に利用される。
【発明の効果】
【００１７】
本発明によると、画像読取装置が同一の画像について取得した第一画像信号と第二画像信号との間のずれが小さく抑えられる。よって、第一画像信号から得られる単色画像と第二画像信号から得られる単色画像との間の濃度のずれが小さく抑えられる。
【発明を実施するための最良の形態】
【００１８】
〔１〕第一実施形態
本発明の実施の一形態である画像形成装置について、以下、図面を参照して説明する。なお、以下は画像読取機能と画像形成機能とを併せ持つ画像形成装置を挙げるが、本発明はこれに限定されず、画像形成機能を持たない画像読取装置として実施可能である。
【００１９】
＜１．画像形成装置１の概要＞
図１は本実施形態の画像形成装置１の要部構成を示す正面図である。
【００２０】
図１に示すように、画像形成装置１は、原稿Ｍを搬送する原稿搬送装置２と、原稿Ｍの一方の面（以下、「表面」と称する）から画像を読み取る画像読取部４及び画像読取部４が読み取った画像等を用紙上に印刷する画像形成部５を備える本体３と、原稿搬送装置２によって搬送中の原稿Ｍの他方の面（以下、「裏面」と称する）から画像を読み取るＣＩＳ６と、を備える。
【００２１】
原稿搬送装置２は本体３の上方に配される。原稿搬送装置２は、ハウジング２０、原稿を載置するための原稿載置トレイ２１、及び読み取りが終わった原稿を受け取る原稿排出トレイ２３を備えると共に、ハウジング２０の内部に設けられ、原稿載置トレイ２１上の原稿を原稿排出トレイ２３まで搬送する原稿搬送部２２等を備える。
【００２２】
本体３は、上述の部材に加えて、画像形成部５で用いる用紙を載置するための手差しトレイ３１、用紙を収容する用紙カセット３２、画像形成後の用紙が排出される用紙排出トレイ３３、ユーザからの指示を受け付けたりユーザに種々の情報を提示したりする操作パネル３４等を備える。また、本体３は、原稿搬送装置２に対向する面に第一プラテンガラス３５及び第二プラテンガラス３６を備える。上述の原稿搬送装置２のハウジング２０は、第一プラテンガラス３５上に原稿を押し付ける原稿押さえとしても機能する。
【００２３】
図２を参照して、原稿搬送装置２及び画像読取部４についてより詳細に説明する。図２は、原稿搬送装置２及び画像読取部４の要部構成を示す正面図である。
【００２４】
図２に示すように、原稿搬送部２２は、複数のローラからなる原稿搬送ローラ群２２ａと、原稿押圧部２２ｂとを備える。原稿搬送ローラ群２２ａは、原稿載置トレイ２１から原稿Ｍを一枚ずつ引き出し、第二プラテンガラス３６上を経て原稿排出トレイ２３へと排出する。原稿押圧部２２ｂは、画像読取部４が第二プラテンガラス３６を介して原稿Ｍの一方の面（以下、表面と称する）から画像を読み取れるように、原稿搬送ローラ群２２ａによって搬送される原稿Ｍを第二プラテンガラス３６に押し付ける。
【００２５】
ＣＩＳ６は、原稿搬送装置２のハウジング２０内に設けられる。具体的には、原稿搬送ローラ群２２ａによって搬送中の原稿Ｍに対して、第二プラテンガラス３６とは逆側に配される。ＣＩＳ６の構成については図４を参照して後述する。
【００２６】
画像読取部４は、原稿搬送装置２２によって搬送中の原稿Ｍ又は第一プラテンガラス３５上に載置された原稿の表面の画像を読み取るようになっている。具体的には、画像読取部４は、照明ユニット４１、ミラーユニット４２、集光部４３、及びＣＣＤ（ＣＣＤイメージセンサ）４４等を備える。
【００２７】
照明ユニット４１は、第一プラテンガラス３５及び第二プラテンガラス３６を介して原稿Ｍの表面に光を照明するキセノンランプ４１ａ、キセノンランプ４１ａからの光が原稿Ｍで反射した反射光をミラーユニット４２に導く第一ミラー４１ｂを備える。
【００２８】
ミラーユニット４２は、照明ユニット４１の照明光の原稿からの反射光を集光部４３に導く第二ミラー４２ａ及び第三ミラー４２ｂを備える。
【００２９】
集光部４３は、ミラーユニット４２、ミラーユニット４２からの光をＣＣＤ４４に集光するレンズ等を備える。
【００３０】
ＣＣＤ４４は受けた光をアナログの電気信号に変換する。ＣＣＤ４４では、Ｒ（赤）、Ｇ（緑）及びＢ（青）のカラー成分をそれぞれ検出するＲ、Ｇ及びＢの３種の読取素子に加えて、さらにモノクロの読取素子であるＫ（黒）素子を備える。以下では、Ｒ、Ｇ、Ｂ、及びＫの各素子に、４４１〜４４４の符号をそれぞれ付して説明する（後述の図１０を参照）。ＣＣＤ４４のより具体的な構成については下記＜２．＞欄で述べる。
【００３１】
本形態では、第一プラテンガラス３５上の原稿から画像を読み取るときは、照明ユニット４１が第一プラテンガラス３５に平行な方向に移動することで原稿全体を照明するようになっている。このとき、ミラーユニット４２も照明ユニット４１に伴って移動して、ＣＣＤ４４に光を導くようになっている。これらのユニットの移動は、図示しない駆動部によって実現される。
【００３２】
一方、第二プラテンガラス３６を介して原稿搬送装置２２で搬送される原稿の表面の画像を読み取るときは、照明ユニット４１及びミラーユニット４２は第二プラテンガラス３６を挟んで原稿Ｍを照明できると共に原稿Ｍからの反射光をＣＣＤ４４に導くことのできる位置に静止するようになっている。
【００３３】
＜２．ＣＣＤ４４＞
ＣＣＤ４４のより具体的な構成について、図３を参照して説明する。図３は、ＣＣＤ４４の要部構成を示す断面図である。
【００３４】
ＣＣＤ４４は、上述の素子（４４１〜４４４）に加えて、カバーガラス４５及び転送部４８等を備える。
【００３５】
素子４４１〜４４４は、カバーガラス４５の下に上述の通り多数並べられているが、説明の便宜上、図３にはＫ素子４４４のみが示されている。
【００３６】
一のＫ素子４４４は、光の進行方向に沿って、マイクロレンズ４６、補正フィルタＦｋ、及びフォトダイオード４７を備える。フォトダイオード４７上には開口４９ａを有する遮光部４９が設けられている。上述の集光部４３を通った光は、カバーガラス４５を通過し、マイクロレンズ４６によって集光される。さらに補正フィルタＦｋによってこの光から所定の波長成分が除かれる。その後、この光は遮光部４９の開口４９ａからフォトダイオード４７に入射し、検知される。Ｋ素子４４４の補正フィルタＦｋの特性については下記＜４．欄＞で述べる。
【００３７】
カラー素子（４４１〜４４３）は、後述の補正フィルタＦｋに代えて、Ｒ、Ｇ、及びＢのカラーフィルタＦｃをそれぞれ備える以外、Ｋ素子４４４と略同様の構成である。カラー素子（４４１〜４４３）では、それぞれＲ、Ｇ、及びＢのカラーフィルタＦｃを介して、反射光中の各カラー成分が各素子のフォトダイオード４７に入射される。
【００３８】
転送部４８は、転送電極４８ａ及び埋め込みチャネル４８ｂを備える。転送部４８は、各素子４４１〜４４４からの画像信号を図示しない出力部に送り、この出力部から外部の回路へ画像信号が出力される。
【００３９】
なお、ＣＣＤ４４では、Ｋ素子４４４のみ、転送量が他のカラー素子（４４１〜４４３）の倍になっている。これによって、モノクロ画像を読み取り速度が大きくなる。これによって、例えば、読み取りと画像形成部５における画像の印刷とが並行して実行されるときには、印刷物をより早くユーザに提供することができる。
【００４０】
なお、本形態では、画像読取部４は単一のＣＣＤイメージセンサによって４色を検知する所謂単板ＣＣＤ（１ＣＣＤとも呼ばれる）によって画像を読み取るものとしたが、本発明はこれに限定されない。例えば、画像読取部４は、光を各カラー成分に分ける分離部と、それぞれが単一のカラー成分を検知する複数のＣＣＤを備える構成であってもよい。
【００４１】
＜３．ＣＩＳ６＞
ＣＩＳ６の具体的な構成について図４を参照して説明する。図４はＣＩＳ６の要部構成を示す正面図である。
【００４２】
図４に示すように、ＣＩＳ６は、光源６ａ、レンズ６ｂ、イメージセンサ６ｃを備える。光源６ａは、原稿Ｍの裏面（上述のＣＣＤ４４が読むのとは逆の面）に光を照射する。原稿Ｍの裏面からの反射光はレンズ６ｂを通ってイメージセンサ６ｃへと導かれる。
【００４３】
光源６ａはキセノンランプであり、その発光特性は上述のキセノンランプ４１ａと同一である（後述の図７）。
【００４４】
本形態では、イメージセンサ６ｃとして、上述のＫ素子４４４を備えない以外は、上述のＣＣＤ４４と同様の構成を備えるイメージセンサを用いる。すなわち、イメージセンサ６ｃも、Ｒ、Ｇ、Ｂの３つの読取素子を備え、各素子はフォトダイオード、及び特定のカラー成分（Ｒ、Ｇ、Ｂ）をこのフォトダイオードに入射させるカラーフィルタ等を備える。但し、イメージセンサ６ｃはＫ素子を備えない所謂３チャンネル方式のイメージセンサである。
【００４５】
このように、ＣＩＳ６はＫ素子を備えないので、後述するように、図１０に示す画像処理部１２がＣＩＳ６のＧ素子６２からの出力信号から、モノクロ画像を生成するようになっている。
【００４６】
なお、本形態ではＣＩＳ６のイメージセンサ６ｃをＣＣＤイメージセンサとしたが、この他にも、３チャンネル式のＣＭＯＳ（Complementary Metal Oxide Semiconductor）イメージセンサ等を用いることができる。
【００４７】
また、光源としてはキセノンランプに限られるものではなく、従来公知の他の光源、例えば白色ＬＥＤ等を適宜用いることができる。
【００４８】
＜４．補正フィルタＦｋ＞
補正フィルタＦｋについて説明するにあたって、まず、画像読取装置４及びＣＩＳ６の光源及びイメージセンサの特性について、図５〜図９を参照して説明する。
【００４９】
図５は光の波長に対する補正フィルタＦｋを設けない場合のＫ素子４４４の感度を示し、図６は光の波長に対するイメージセンサ６ｃのＲ、Ｇ及びＢの各読取素子（６１〜６３）の感度を示し、図７はキセノンランプ（４１ａ、６ａ）の発光特性を示し、図８は図５に示すＫ素子４４４の感度特性と図７に示すキセノンランプの発光特性とを掛け合わせたもの、すなわちキセノンランプの光に対する補正フィルタを設けないＫ素子４４４の感度特性を示し、図９は図６に示すＧ素子６２の感度特性と図７に示すキセノンランプの発光特性とを掛け合わせたものすなわちＣＩＳ６におけるＧ素子６２の感度特性を示すスペクトルである。また、図５及び図８には、補正フィルタＦｋが遮断する波長の範囲を斜線で示す。
【００５０】
図５に示すように、補正フィルタＦｋを設けなければ、Ｋ素子４４４は幅広い波長の光を検知し得る。これに対して、カラー素子４４１〜４４３は、図６に示すように、検出する波長の範囲がＫ素子４４４よりも狭く、それぞれ６５０ｎｍ、５５０ｎｍ、４５０ｎｍ付近の感度のピークを外れると、その感度は著しく低下する。
【００５１】
それゆえ、画像読取部４のキセノンランプ４１ａとＣＩＳ６の光源６ａとは、発光特性が同一である（図７）。しかし、補正フィルタＦｋを備えないＫ素子４４４とＣＩＳ６のＧ素子６２とでは、図８及び図９に示すように検出できる波長が異なる。例えば、図８と図９とでスペクトルを比較すると、波長５００ｎｍ以下又は５７０ｎｍ以上の範囲に、Ｇ素子６２では検出できて、Ｋ素子４４４では検出できない成分が特に含まれている。
【００５２】
その結果、同一の画像を検出して得られたモノクロ画像であっても、補正フィルタＦｋを備えないＫ素子４４４の出力信号から生成された画像と、ＣＩＳ６のＧ素子６２からの出力信号から生成された画像とでは、濃度が異なることがある。つまり、原稿の表面と裏面とで、得られる画像濃度が異なるという問題が起こり得る。
【００５３】
そこで、本形態では、補正フィルタＦｋを設けることで、Ｋ素子４４４では検出され得るがＧ素子６２では検出されない光の成分がＫ素子４４４に入射しないように、遮断している。
【００５４】
具体的には、図５及び図８に示すように、補正フィルタＦｋは、波長５００ｎｍ未満の光及び波長５７０ｎｍ以上の光を遮断するようになっている。その結果、Ｋ素子４４４のフォトダイオード４７には、波長５００ｎｍ以上５７０ｎｍ未満の光のみが届く。さらに、図８及び図９に示すように、Ｋ素子４４４とＧ素子６２とは、キセノンランプの光に対して、波長５５０ｎｍ付近に共通する検出感度のピークを有する。補正フィルタＦｋは、この波長５５０ｎｍ付近の光は遮断せずにフォトダイオード４７まで通過させる。
【００５５】
すなわち、補正フィルタＦｋによって、光の波長に対するＣＣＤ４４のＫ素子４４４の検出特性と、イメージセンサ６ｃのＧ素子６２の検出特性とは、非常に近いものとなる。従って、原稿の表面の画像と裏面の画像とで、濃度のズレが小さく抑えられる。
【００５６】
補正フィルタＦｋとしては、具体的には、フィルム、水晶、合成石英等を基材とするフィルタが考えられる。なお、補正フィルタＦｋとしては、市販のフィルタを適宜用いることができる。
【００５７】
なお、補正フィルタＦｋは、図５及び図８に示す光遮断（光透過）特性に限らず、Ｇ素子６２が検出せずにＫ素子（補正フィルタなし）４４４の検出しない波長の光のうち、少なくとも一部を遮断するようになっていればよい。例えば、波長５７０ｎｍ以上の光のみを遮断するフィルタ、又は波長５００ｎｍ未満の光のみを遮断するフィルタも、補正フィルタＦｋとして用いることができる。
【００５８】
なお、本明細書において「遮断」とは、完全に遮る場合だけでなく、光の少なくとも一部を遮る場合も含む。「少なくとも一部」とは、上述の波長範囲の光の３０％以上、さらには５０％以上、さらには７０％以上であることが好ましい。
【００５９】
＜５．両面読取動作＞
図１０を参照して、原稿の両面から画像を読み取る時の画像形成装置１の動作について説明する。図１０は画像形成装置１の要部構成を示すブロック図である。図１０中、各ブロック間の実線は画像データ（画像信号等）を、点線は制御信号を表す。なお、説明の便宜上、図１０中ではＣＣＤ４４、及びイメージセンサ６ｃの素子を色成分毎に１つずつしか描いていない。
【００６０】
図１０に示すように、画像形成装置１は、上述の部材の他に、画像読取部４及びＣＩＳ６からの画像信号をアナログ信号からデジタル信号に変換するＡ／Ｄ変換部１１、Ａ／Ｄ変換部１１でデジタル化された画像信号から画像を生成する画像処理部１２、画像形成装置１の各部を制御する制御部１３等を備える。
【００６１】
原稿の両面からモノクロ画像を取得するようにとの指示が、操作パネル３４等を介してユーザから入力されたとする。制御部１３の制御の下、上述の原稿搬送ローラ群２２ａによって原稿Ｍが順に原稿押圧部２２ｂに送られ、上述したように、画像読取部４によって原稿の表面の画像が読み取られ、次いでＣＩＳ６によって裏面の画像が読み取られる。
【００６２】
モノクロ画像読取時には、画像読取部４はＣＣＤ４４のＫ素子４４４によって画像を読み取る。そして、第二イメージセンサ６ｃはＧ素子６２によって画像を読み取る。
【００６３】
画像処理部１２は、Ａ／Ｄ変換部１１を介して受け取ったＫ素子４４４からの画像信号から、表面のモノクロ画像情報を生成する。また、画像処理部１２は同じくＡ／Ｄ変換部１１を介して受け取った第二イメージセンサのＧ素子６２から、裏面のモノクロ画像情報を生成する。
【００６４】
画像情報の取得だけでなく印刷も指示された場合には、以上のようにして生成されたモノクロ画像情報に基づいて、画像形成部５がモノクロ画像を用紙上に印刷する。
【００６５】
なお、カラー画像の読み取りを指示された場合は、画像処理部１２は、画像読取部４及びＣＩＳ６からのＲ、Ｇ、及びＢのカラー成分の画像信号を、Ａ／Ｄ変換部１１を介して受け取り、これらの画像信号から表面及び裏面のカラー画像情報を形成する。カラー画像が印刷されるときには、画像処理部１２は、画像情報のＲＧＢをＣＭＹに変換して、画像形成部５に送るようになっている。
【００６６】
また、原稿の表面のみから画像を読み取る場合には、制御部１３の制御の下、画像読取部４のみが画像の読み取りを行い、ＣＩＳ６は画像の読み取りを行わない。
【００６７】
以上に述べた各部の動作は、制御部１３が制御プログラムを実行することによって実現される。制御部１３は、制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）等によって構成され得る。
【００６８】
＜６．画像形成部５＞
画像形成部５について、図１１を参照して説明する。図１１は、画像形成部５の要部構成を示す正面図である。なお、本形態では画像形成部５は電子写真方式の画像形成ユニットがタンデム状に並べられた構成となっているが、本発明はこれに限定されるものではなく、画像形成に用いられる従来公知の技術を適宜適用可能である。
【００６９】
図１１に示すように、画像形成部５は、４つの画像形成ユニット５１Ｙ、５１Ｍ、５１Ｃ、及び５１Ｋを備えると共に、中間転写ベルト５２、二次転写部５３、定着部５４、用紙搬送部５６等を備える。
【００７０】
画像形成ユニット５１Ｙ、５１Ｍ、５１Ｃ、及び５１Ｋは、それぞれ、Ｙ（イエロー）、Ｍ（マゼンダ）、Ｃ（シアン）、及びＫ（ブラック）の各トナーによってトナー像を形成する。各画像形成ユニットは、用いるトナーが異なる以外は略同様の構成である。よって、画像形成ユニット間で共通する部材については、図１１中で適宜符合を省略している。
【００７１】
各画像形成ユニット５１Ｙ、５１Ｍ、５１Ｃ、及び５１Ｋは、回転可能な感光体ドラム５１ａを備えると共に、感光体ドラム５１ａの回転方向に沿って、帯電器５１ｂ、露光部５１ｃ、現像部５１ｄ、一次転写部５１ｅ、クリーニング部５１ｆ、及び除電部５１ｇをそれぞれ備える。
【００７２】
画像形成時には、帯電部５１ｂが感光体ドラム５１ａを一様に帯電させ、帯電した感光体ドラム５１ａの表面に露光部５１ｃが画像処理部１２からの画像データに沿って光を照射することで静電潜像が描かれる。さらに、この静電潜像に現像部５１ｄがトナーを付着させることで感光体ドラム５１ａ上にトナー像が形成される。こうして形成されたトナー像は、一次転写部５１ｅにより感光体ドラム５１ａから中間転写ベルト５２に一次転写される。この一次転写又は後述の二次転写により、各色のトナー画像が重ねあわされてカラー画像が形成される。モノクロ画像形成時には、画像形成ユニット５１Ｋのみがトナー画像を形成し、他のカラー成分の画像形成ユニットは稼動しない。
【００７３】
一次転写後、クリーニング部５１ｆは一次転写後も感光体ドラム５１ａ表面に残るトナーを除去し、除電部５１ｇは感光体ドラム５１ａに描かれた静電潜像を消すことで、次の画像形成に備える。
【００７４】
用紙搬送部５６は、用紙カセット３２又は手差しトレイ３１から用紙を取り出して、二次転写部５３及び定着部５４に順次搬送する。二次転写部５３は、中間転写ベルト５２に上述の通り一次転写されたトナー像を、中間転写ベルト５２から用紙上にトナー像に二次転写する。定着部５４は熱圧着によって二次転写後の用紙上にトナー像を定着させる。用紙搬送部５６は最終的に用紙排出トレイ３３上に印刷済みの用紙を排出し、一連の画像形成動作が完了する。
【００７５】
なお、用紙搬送部５６は両面印刷時に他面に画像を印刷するために、片面に画像が印刷された用紙を反転させる用紙反転機構を備えるが、説明の便宜上図１１にはこの用紙反転機構を図示していない。また、手差しトレイ３１から用紙を二次転写部５３に搬送する機構についても、図示を省略している。
【００７６】
〔２〕画像読取部の他の実施形態
上述したように補正フィルタを設けることで、互いに異なるカラー成分を読み取る複数の素子間での濃度の差を低減するという技術は、上記〔１〕欄の形態に限定されるものではない。
【００７７】
（1-1）光遮断フィルタ
具体的には、補正フィルタＦｋと同様の光遮断特性（光透過特性）を有する光遮断フィルタが、キセノンランプ４１ａからＫ素子４４４のフォトダイオード４７に至る光路上に設けられていればよく、この部材の具体的な形態、その位置等は限定されるものではない。なお、「フィルタ」とは、薄膜形状の部材に限られず、適切な光透過特性を有していればよい。以下に具体例を挙げる。
【００７８】
（ａ）マイクロレンズ
上記〔１〕欄で述べた画像読取部４において、ＣＣＤ４４に代えて図１２に示すＣＣＤ１４４を用いてもよい。図１２に示すように、ＣＣＤ１４４は、Ｋ素子４４４のマイクロレンズとして、通常のマイクロレンズ４６に代えて、上述の光遮断特性を有するマイクロレンズ４６ｋ（図１２中斜線で示す）を備える。このマイクロレンズ４６ｋは光遮断フィルタとして機能する。
【００７９】
（ｂ）カバーガラス
上記〔１〕欄で述べた画像読取部４において、ＣＣＤ４４に代えて図１３に示すＣＣＤ２４４を用いてもよい。図１３に示すように、ＣＣＤ２４４は、カバーガラス４５に代えて、Ｋ素子４４４に入射する光が透過する領域４５ｋが上述の光遮断特性を有する構成となっているカバーガラス４５１を備える。この領域４５ｋは光遮断フィルタとして機能する。
【００８０】
（ｃ）ソレノイドによる挿入
ここまではＣＣＤ内に光遮断フィルタを設ける構成を挙げたが、光遮断フィルタをＣＣＤ外に設けてもよい。図１４に、ＣＣＤ４４外に可動フィルタ４００を備える画像読取部４の正面図を示す。可動フィルタ４００は、上述の光遮断特性を有し、図１４に示すように、ソレノイド４０１によってミラーユニット４２と集光部４３との間の光路に挿入されるようになっている。可動フィルタ４００は、制御部１３の制御の下、モノクロ画像の取得時にはソレノイド４０１によって光路上に挿入され、カラー画像の取得時にはソレノイド４０１によって光路から外れる位置に退避させられる。
【００８１】
上記（ａ）〜（ｃ）のいずれかの構成を採用した場合、補正フィルタＦｋを設ける必要はない。但し、補正フィルタＦｋ、マイクロレンズ４６ｋ、カバーガラス４５１、可動フィルタ４００を、適宜組み合わせて用いることもできる。
【００８２】
〔３〕ＣＩＳの他の形態
上記〔１〕欄では、ＣＩＳ６及び画像読取部４では発光特性が同一の光源を用いられている。しかし、ＣＩＳ６と画像読取部４とで用いられる光源の発光特性は異なっていてもよい。なお、光源の発光特性に合わせて、上述の光遮断フィルタの光遮断特性は適宜変更可能である。
【００８３】
また、光遮断フィルタは、画像読取部４の光路上でなく、ＣＩＳ６の光路上に設けられてもよい。この場合、画像読取部４によって得られる画像とＣＩＳ６によって得られる画像とで濃度を一致させるように、光遮断フィルタの光遮断性は適宜設定される。
【００８４】
また、上記〔１〕欄では、ＣＩＳ６は光源として白色光源を１つ備え、原稿からの光に含まれるカラー成分を３種の読取素子で読み取るものとしたが、これ以外にも、光源が複数の色を出射できるような構成であってもよい。例えば、ＣＩＳ６に代えて、Ｒ、Ｇ、Ｂの各色の光を出射可能な光源をそれぞれ１つずつ計３つ備え、１種の読取素子によって画像を読み取るような画像読取機構を用いることができる。
【００８５】
このような画像読取機構を有する画像読取装置は、例えば、“原稿の第一面に白色光を照射する白色光源、及び上記第一面からの反射光を検出することで上記第一面の画像を読み取って第一検出信号を出力するモノクロ用の第一読取素子を備える第一読取装置と、上記原稿の第二面にカラー光を照射するカラー光源、及び上記第二面からの反射光を検出することで上記カラー光に対応するカラー成分を読み取って第二検出信号を出力する第二読取素子を備える第二読取装置と、上記第一読取素子に入る光のうち、第一読取素子が読み取って第二読取素子が読み取らない波長を遮断可能なフィルタと、上記第一検出信号及び第二検出信号のそれぞれから単色の画像を取得可能な画像処理部と、を備える”と表現可能である。この画像読取装置では、上記カラー光源は、赤、緑、及び青のカラー光を照射可能になっており、上記画像処理部は、上記第二読取素子が緑成分を読み取ったときの第二検出信号に基づいて、単色画像を形成するようになっていることが好ましい。
【００８６】
〔４〕画像読取装置
上記〔１〕欄の実施形態では、原稿から画像を読み取るために画像読取部４とＣＩＳ６とを用いているが、本発明はこれに限定されるものではない。すなわち、互いに異なるカラー成分を読み取る読取素子を２以上備え、これらの読取素子から得られる画像信号から単色画像を形成することができる画像読取装置であれば、上述の光遮断フィルタにより、同様の効果を得られる。
【００８７】
上記「カラー成分」とは、例えば、黒（白）、赤、青、緑であるが、他の色であってもよい。また、上記「単色画像」とは、モノクロ（白黒）画像だけでなく、他の色を用いた単色画像を含む。
【００８８】
上記〔１〕欄の実施形態では、光源の発光特性と読取素子の感度特性との関係で、片面のＫ素子に対して他面の読み取りにＧ素子を用いているが、単色画像を得る際に用いる読取素子としては他のカラー成分を読み取る読取素子を適宜用いることができる。光遮断フィルタの光遮断特性は、光源の発光特性、読取素子の感度特性等に応じて適宜設定すればよい。
【００８９】
以上、異なる欄に記載された技術を組み合わせて得られる形態、及び、さらに従来公知の技術を組み合わせて得られる形態も、本発明の技術的範囲に含まれる。
【図面の簡単な説明】
【００９０】
【図１】本実施形態の画像形成装置１の要部構成を示す正面図である。
【図２】原稿搬送装置２及び画像読取部４の要部構成を示す正面図である。
【図３】ＣＣＤ４４の要部構成を示す断面図である。
【図４】ＣＩＳ６の要部構成を示す正面図である。
【図５】光の波長に対する補正フィルタＦｋを設けない場合のＫ素子４４４の感度を示すスペクトルであり、斜線で補正フィルタＦｋが遮断する光の波長を示す。
【図６】光の波長に対するイメージセンサ６ｃのＲＧＢの各読取素子を示すスペクトルである。
【図７】キセノンランプの発光特性を示すスペクトルである。
【図８】図５に示すＫ素子４４４の感度特性と図７に示すキセノンランプの発光特性とを掛け合わせたスペクトルである。
【図９】図６に示すＧ素子６２の感度特性と図７に示すキセノンランプの発光特性とを掛け合わせたスペクトルである。
【図１０】画像形成装置１の要部構成を示すブロック図である。
【図１１】画像形成部５の要部構成を示す正面図である。
【図１２】ＣＣＤの他の形態を示す断面図である。
【図１３】ＣＣＤのさらに他の形態を示す断面図である。
【図１４】画像読取部の他の形態を示す正面図である。
【符号の説明】
【００９１】
１      画像形成装置
２      原稿搬送装置
４      画像読取部
４４    ＣＣＤ
４４４  Ｋ素子（第一読取素子）
４１ａ  キセノンランプ
４５    カバーガラス
４６    マイクロレンズ
４６ｋ  マイクロレンズ（フィルタ）
４７    フォトダイオード
４００  可動フィルタ（フィルタ）
５      画像形成部
６      ＣＩＳ
６ａ    光源
６ｃ    イメージセンサ
６２    Ｇ素子（第二読取素子）
【図１】
2009021655.tif 000003
【図２】
2009021655.tif 000004
【図３】
2009021655.tif 000005
【図４】
2009021655.tif 000006
【図５】
2009021655.tif 000007
【図６】
2009021655.tif 000008
【図７】
2009021655.tif 000009
【図８】
2009021655.tif 000010
【図９】
2009021655.tif 000011
【図１０】
2009021655.tif 000012
【図１１】
2009021655.tif 000013
【図１２】
2009021655.tif 000014
【図１３】
2009021655.tif 000015
【図１４】
2009021655.tif 000016